(57)【要約】【課題】  現像剤の状態に応じた閾値を設定することによって正確にトナー濃度を制御する。【解決手段】  制御部１８には、現像剤４１の状態の経時変化に応じて設定される複数の閾値からなる閾値群が複数記憶されている。そして、現像剤４１の初期調整時のトナー濃度が検出され、初期調整時の単位時間あたりのトナー濃度の検出値の変動幅に基づいて選択された閾値群の中から、積算印刷枚数またはそれに相当する攪拌ローラ４５、４６の積算回転時間に応じて設定された閾値を用いてトナー濃度が制御される。【選択図】  図４
2005156791.tif 000002
【特許請求の範囲】
【請求項１】
画像形成装置における現像に用いられトナーとキャリアとが混合されてなる現像剤におけるトナー濃度を検出する第１ステップと、
前記第１ステップで検出された前記トナー濃度と所定の閾値とを比較し前記現像剤にトナーを補給すべきか否かを判定する第２ステップと、
前記第２ステップで得られた判定結果に基づいて前記現像剤にトナーを補給する第３ステップと、を備えるトナー濃度制御方法において、
前記第２ステップでは、予め記憶されている複数の閾値の中から前記現像剤の状態の経時変化に応じて設定された閾値が用いられることを特徴とするトナー濃度制御方法。
【請求項２】
前記複数の閾値のそれぞれは、前記画像形成装置に新たに収納されたキャリアとトナーとを混合する初期調整時のトナー濃度の検出値に基づいて設定されることを特徴とする請求項１に記載のトナー濃度制御方法。
【請求項３】
前記複数の閾値のそれぞれは、前記初期調整時の単位時間あたりのトナー濃度の検出値の変化に基づいて予想されるトナー濃度の検出値の経時変化に基づいて設定されることを特徴とする請求項２に記載のトナー濃度制御方法。
【請求項４】
前記現像剤の状態の経時変化に応じて設定される複数の閾値からなる閾値群を複数記憶しておき、
前記第２ステップでは、前記閾値として前記初期調整の終了直前の単位時間あたりのトナー濃度の検出値の変動幅に応じて選択された閾値群の中から時間経過に応じて設定された閾値が用いられることを特徴とする請求項１から３のいずれかに記載のトナー濃度制御方法。
【請求項５】
前記第２ステップでは、前記トナーと前記キャリアとを攪拌する攪拌ローラの積算回転時間または前記現像剤による積算印刷枚数に応じて設定される閾値が用いられることを特徴とする請求項１から４のいずれかに記載のトナー濃度制御方法。
【発明の詳細な説明】
【技術分野】
【０００１】
この発明は、トナー濃度制御方法に関し、特にトナーとキャリアとが混合されてなる２成分現像剤において検出されたトナー濃度と所定の閾値とを比較することによってトナー濃度を制御するトナー濃度制御方法に関する。
【背景技術】
【０００２】
画像形成装置で用いられる現像方式として、１成分現像方式と２成分現像方式とがある。２成分現像方式では、トナーとキャリアとからなる２成分現像剤が用いられる。１成分現像方式では、現像槽に収容され所定電荷に帯電された１成分現像剤が現像領域に供給される。これに対して２成分現像方式では、トナーとキャリアとが所定の比率で現像槽に収容され、攪拌ローラによって十分に混合攪拌され、所定電荷に帯電された２成分現像剤が現像領域に供給される。２成分現像方式では、現像が行われるとトナーのみが印刷媒体に付着されそのままでは現像剤中のトナー濃度が低下する。高い印刷品位を維持するためにはトナー濃度を一定値にコントロールすることが重要である。
【０００３】
現像剤中のトナー濃度をコントロールする技術として、トナー濃度の検出値と閾値とを比較して得られる判定結果がトナー補給状態となった場合に、トナー補給状態が続いた時間に応じてトナー補給時間を調整する技術（例えば、特許文献１参照。）や、トナー濃度の検出値が閾値以下となった場合に画像形成動作を一旦中断してトナーを補給する技術（例えば、特許文献２参照。）が提案されている。
【０００４】
これら特許文献１および２の技術はいずれも、トナー濃度の検出値と予め設定される１つの閾値との比較に基づく制御に関する技術である。
【特許文献１】特開平４−２５１２７３号公報
【特許文献２】特開２００１−１３７７３公報
【発明の開示】
【発明が解決しようとする課題】
【０００５】
しかし、トナー濃度の検出値は、トナーとキャリアとの混合比率の変化がない場合であっても、トナーとキャリアとの攪拌時間や連続印刷枚数などによって異なってしまうことがある。具体的には、現像剤の攪拌時間が短い場合や現像停止状態が長期化した場合は現像剤は自重によって密な状態となり、一方、現像剤が長時間攪拌された場合は現像剤が解されて現像剤中に多くの空気が含まれた状態となり嵩密度が低下する。したがって、濃度センサは正確なトナー濃度を検出できず、現像剤の状態によってトナー濃度の検出値にばらつきが生じてしまう。特許文献１および２の技術のように現像剤の状態に関わらず常に１つの閾値でトナー濃度を制御しようとすると、現実には現像剤のトナー濃度を一定に保持することができず、印刷品位の低下や現像剤の寿命の短縮化を招いてしまう。
【０００６】
この発明が解決しようとする課題は、現像剤の状態に応じた閾値を設定することによって正確にトナー濃度を制御するトナー濃度制御方法を提供することにある。
【課題を解決するための手段】
【０００７】
この発明のトナー濃度制御方法は、上述の課題を解決するために以下のように構成される。
【０００８】
（１）画像形成装置における現像に用いられトナーとキャリアとが混合されてなる現像剤におけるトナー濃度を検出する第１ステップと、第１ステップで検出されたトナー濃度と所定の閾値とを比較し現像剤にトナーを補給すべきか否かを判定する第２ステップと、第２ステップで得られた判定結果に基づいて現像剤にトナーを補給する第３ステップと、を備えるトナー濃度制御方法において、第２ステップでは、予め記憶されている複数の閾値の中から現像剤の状態の経時変化に応じて設定された閾値が用いられることを特徴とする。
【０００９】
この構成においては、画像形成装置は複数の閾値を予め記憶している。そして、現像剤の状態の経時変化に応じて複数の閾値の中から閾値が順次選択され、選択された閾値を用いてトナー濃度が制御される。
【００１０】
（２）複数の閾値のそれぞれは、画像形成装置に新たに収納されたキャリアとトナーとを混合する初期調整時のトナー濃度の検出値に基づいて設定されることを特徴とする。
【００１１】
この構成においては、画像形成装置にキャリアとトナーとが新たに収納された場合、キャリアとトナーとを混合するための初期調整が行われる。初期調整中のトナー濃度の検出値は、初期調整の初期には急激に変化し初期調整の終期に向けて徐々に安定値に近づいていく。複数の閾値のそれぞれは、初期調整時に検出されるトナー濃度に基づいて設定されるので、正確なトナー濃度に基づいた正確な閾値に用いてトナー濃度が制御される。
【００１２】
（３）複数の閾値のそれぞれは、初期調整時の単位時間あたりのトナー濃度の検出値の変化に基づいて予想されるトナー濃度の検出値の経時変化に基づいて設定されることを特徴とする。
【００１３】
現像剤の状態は攪拌時間などに応じて変化し、現像剤の状態の変化に応じてトナー濃度の検出値が異なってしまう。この構成においては、初期調整時の単位時間あたりのトナー濃度の検出値の変化に基づいてトナー濃度の検出値の経時変化が予想され、予想されるトナー濃度の検出値の経時変化に基づいて複数の閾値のそれぞれが設定される。したがって、トナー濃度の検出値の経時変化を加味した閾値が設定され、設定された閾値を用いてトナー濃度が制御される。
【００１４】
（４）現像剤の状態の経時変化に応じて設定される複数の閾値からなる閾値群を複数記憶しておき、第２ステップでは、閾値として初期調整の終了直前の単位時間あたりのトナー濃度の検出値の変動幅に応じて選択された閾値群の中から時間経過に応じて設定された閾値が用いられることを特徴とする。
【００１５】
キャリアとトナーとの混合比率が同じ場合であっても、濃度センサによって検出される検出値は、キャリアとトナーとを攪拌する攪拌ローラの外周面と濃度センサとの間隔や、キャリアやトナーの粒径などによって異なってしまうことがある。
【００１６】
この構成においては、上述のような理由によるトナー濃度の検出値の違いに対応可能なように複数の閾値群が予め記憶されている。そして、初期調整の終了直前の単位時間あたりのトナー濃度の検出値の変動幅からトナー濃度の検出値の経時変化が予想され、予想されるトナー濃度の検出値の経時変化に基づいて１個の閾値群が選択される。１個の閾値群は現像剤の状態の経時変化に応じて設定される複数の閾値からなり、それら複数の閾値の中から時間経過に応じて順次閾値が設定され、設定された閾値を用いてトナー濃度が制御される。
【００１７】
（５）第２ステップでは、トナーとキャリアとを攪拌する攪拌ローラの積算回転時間または現像剤による積算印刷枚数に応じて設定される閾値が用いられることを特徴とする。
【００１８】
現像剤の状態は、攪拌ローラの積算回転時間や現像剤による積算印刷枚数に応じて異なってしまう。この構成においては、攪拌ローラの積算回転時間または現像剤による積算印刷枚数に応じて閾値が設定され、設定された閾値を用いてトナー濃度が制御される。
【発明の効果】
【００１９】
この発明によれば、以下の効果を奏することができる。
【００２０】
（１）現像剤の状態の経時変化に応じて複数の閾値の中から選択された閾値を用いてトナー濃度が制御されるので、経時的に変化する現像剤の状態に適した閾値を用いてトナー濃度を制御することができる。
【００２１】
（２）初期調整時に検出されるトナー濃度に基づいて閾値が設定されるので、正確にトナー濃度を制御することができる。
【００２２】
（３）トナー濃度の検出値の経時変化を加味した閾値が設定されるので、さらに正確にトナー濃度を制御することができる。
【００２３】
（４）初期調整の終了直前の単位時間あたりのトナー濃度の検出値の変動幅に応じて閾値群が選択され、さらにその閾値群の中から時間経過に応じて設定された閾値を用いてトナー濃度が制御されるので、さらに正確にトナー濃度を制御することができる。
【００２４】
（５）攪拌ローラの積算回転時間または現像剤による積算印刷枚数に応じて閾値が設定されるので、現像剤の状態に応じた閾値を用いて正確にトナー濃度を制御することができる。
【発明を実施するための最良の形態】
【００２５】
以下に、この発明の実施形態に係るトナー濃度制御方法が適用された画像形成装置１について、図面に基づいて説明する。図１は、画像形成装置１の概略構成を示す断面図である。画像形成装置１は、コピアモード、プリンタモード、およびＦＡＸモードを備えたディジタル複合機である。
【００２６】
画像形成装置１は、画像読取部２および画像形成部３を備える。画像読取部２は、原稿が１枚ずつ載置される原稿台４、５を含む。原稿台４、５の上方には自動原稿搬送装置６が配置される。自動原稿搬送装置６は原稿トレイ７を含む。原稿トレイ７には１枚または複数枚の原稿が載置される。画像形成装置１では、原稿は、原稿台４上または原稿トレイ７上のいずれかに選択的に載置される。
【００２７】
自動原稿搬送装置６は、片面読取モードまたは両面読取モードを選択的に実行する。片面読取モードでは、原稿トレイ７上に載置された原稿は、１枚ずつ原稿台５上を経由して排紙トレイ８上に排出される。両面読取モードでは、原稿トレイ７上に載置された原稿は、１枚ずつ原稿台５上を経由して中間トレイ９まで搬送され、原稿搬送方向の前後が反転されることで原稿の表裏が反転された状態で再び原稿台５上を経由して排紙トレイ８上に排出される。
【００２８】
原稿台４、５の下方には、第１走査体１０、第２走査体１１、結像レンズ１２、およびＣＣＤセンサ１３が配置される。第１走査体１０は、原稿台４、５に対して平行である副走査方向に速度Ｖで移動する。第２走査体１１は、第１走査体１０に連動して副走査方向に速度Ｖ／２で移動する。
【００２９】
第１走査体１０は、露光ランプ１４および第１反射ミラー１５を含む。第２走査体１１は、第２反射ミラー１６および第３反射ミラー１７を含む。露光ランプ１４から出射され原稿によって反射された光は、第１ミラー１５、第２ミラー１６、および第３ミラー１７によって偏向されて結像レンズ１２に入射される。結像レンズ１２に入射された光は、結像レンズ１２によってＣＣＤセンサ１３上に結像される。ＣＣＤセンサ１３上に結像された光は、ＣＣＤセンサ１３によって光電変換処理されて画像データとして読み取られる。読み取られた画像データは、後述する制御部１８（図３参照）で所定の画像処理が施された後、グラフィックＲＡＭ１９に格納される。
【００３０】
画像読取部２の下方に画像形成部３が配置される。画像形成部３の底部には、給紙カセット２０が配置される。給紙カセット２０には複数枚の用紙が収容される。給紙カセット２０は、用紙の補給等のために画像形成装置１の本体に対して出し入れ可能に形成される。給紙カセット２０に収容された用紙は、コピアモードでは図示しないスタートキーの押下をトリガーとして、プリンタモードおよびＦＡＸモードでは印刷要求の受信をトリガーとして、給紙ローラ２２によって用紙搬送路２３上に給紙され、用紙の先端部がレジストローラ２４にチャックされた状態で待機する。
【００３１】
用紙搬送路２３上には、さらに感光体ドラム２５が配置される。感光体ドラム２５は図１において反時計方向に回転駆動する。感光体ドラム２５の周囲には、帯電器２６、現像装置２７、転写器２８、およびクリーニングユニット２９が、感光体ドラム２５の回転方向に沿って、この順序で配置される。また、帯電器２６と現像装置２７との間から感光体ドラム２５を臨む位置に、ＬＳＵ（レーザスキャニングユニット）３０が配置される。
【００３２】
画像形成部３では、次のような帯電工程、露光工程、現像工程、転写工程、および定着工程を含む電子写真方式の画像形成プロセスを経て、用紙に画像が形成される。
【００３３】
帯電器２６は、感光体ドラム２５の外周面を所定の電位に帯電させる（帯電工程）。ＬＳＵ３０は、所定電位に帯電された感光体ドラム２５の外周面に、制御部１８から入力される画像データに基づくレーザ光を照射し、静電潜像を形成する（露光工程）。感光体ドラム２５の外周面上に形成された静電潜像は、現像装置２７によって可視化され、トナー像となる（現像工程）。
【００３４】
ここで、レジストローラ２４に先端部をチャックされた状態で待機中の用紙は、その先端部を感光体ドラム２５の外周面上に形成されたトナー像の先端部と合わせるタイミングで、感光体ドラム２５と転写器２８との間に搬送され、用紙にトナー像が転写される（転写工程）。なお、感光体ドラム２５上に残留したトナーは、クリーニングユニット２９によって回収される。
【００３５】
トナー像が転写された用紙は、用紙搬送路２３上をさらに搬送され、定着装置３１に到達する。定着装置３１は、加熱ローラ３２および加圧ローラ３３を含む。定着装置３１まで搬送された用紙上に付着するトナーは、加熱ローラ３２と加圧ローラ３３とによって用紙に熱圧着されることで定着される（定着工程）。
【００３６】
定着装置３１を経由した用紙は、搬送ローラ３４によってさらに用紙搬送路２３上を搬送され、排紙ローラ３５によって排紙トレイ３６上に排出される。また、用紙の両面に印刷される場合は、用紙は、定着装置３１を通過した後にそれまでの搬送方向とは逆方向に反転搬送路３７を搬送されることで、表裏を反転した状態で再びレジストローラ２４にチャックされる。そして、用紙は所定タイミングで感光体ドラム２５と転写器２８との間を経由し、さらに定着装置３１を経由することで裏面にも画像を形成され、排紙トレイ３６上に排出される。
【００３７】
図２は、現像装置２７を示す拡大図である。現像装置２７は、現像剤４１が収納される現像槽４２と、現像剤４１におけるトナー濃度が低くなった場合に現像剤４１に供給されるトナーを収納するトナーボックス４３とを備える。トナーボックス４３に収納されるトナーは、必要に応じてトナー供給ローラ４４によって現像槽４２に供給される。
【００３８】
現像槽４２内には、攪拌ローラ４５、４６、供給ローラ４７、および現像ローラ４８が配置される。攪拌ローラ４５、４６は、現像槽４２内の現像剤４１を攪拌してキャリアとトナーとを混合するとともに現像剤４１を帯電させる。供給ローラ４７は、攪拌ローラ４５、４６によって攪拌された現像剤４１を現像ローラ４８に供給する。現像ローラ４８は、感光体ドラム２５に現像剤４１を供給する。
【００３９】
また、攪拌ローラ４６に対向する位置に、現像槽４２の底部から現像槽４２内を臨むようにして、現像槽４２内の現像剤４１のトナー濃度を検出する濃度センサ４９が配置される。濃度センサ４９としては、例えば透磁率センサが用いられる。攪拌ローラ４６の外周面と濃度センサ４９の上面との間隔Ｇは、例えば０．８５ｍｍに設定される。
【００４０】
図３は、制御部１８の概略の構成を示すブロック図である。制御部１８は所定のプログラムや複数の補正テーブルが格納されたＲＯＭ５２および作業領域となるＲＡＭ５３を含むＣＰＵ５１を備える。ＣＰＵ５１には、画像データが読み出し可能に格納されるグラフィックＲＡＭ１９、現像槽４２内の現像剤におけるトナー濃度を検出する濃度センサ４９、画像読取部２を動作させるモータやソレノイド等を含む画像読取部負荷機器５４、給紙ローラ２４や搬送ローラ３４等を動作させるモータやソレノイド等を含む搬送部負荷機器５５、および画像形成部３を動作させるモータやソレノイド等を含む画像形成部負荷機器５６等の入出力機器が接続され、ＣＰＵ５１はこれらの機器を統括して制御する。
【００４１】
図４は、制御部の処理手順の一部を示すフローチャートである。現像槽４２に新たにキャリアとトナーとが収納された場合、キャリアとトナーとを十分に混合させるとともに現像剤４１を所定電荷に帯電させるために、制御部１８のＣＰＵ５１は現像剤４１の初期調整を開始する（Ｓ１）。この実施形態では、初期調整の時間は１２０秒間に設定される。ＣＰＵ５１は、初期調整中において所定時間ごとに濃度センサ４９によって現像剤４１のトナー濃度を取得する（Ｓ２）。
【００４２】
図５（ａ）は、初期調整時における攪拌ローラ４５、４６の回転時間（秒）に対する濃度センサ４９の検出値の変化を示す図であり、図５（ｂ）はそれをグラフ化した図である。なお、図５では、攪拌ローラ４６の外周面と濃度センサ４９の上面との間隔Ｇを、０．５９ｍｍ、０．８５ｍｍ、１．２ｍｍの３種類に設定して実験した場合の濃度センサ４９の検出値を示しており、また、実験として１２０秒後においても印刷を行わずキャリアとトナーとの混合比率を変化させないで攪拌ローラ４５、４６を回転させ続けた状態での、濃度センサ４９によるトナー濃度の検出値を示している。
【００４３】
図６は、積算印刷枚数またはそれに相当する攪拌ローラ４５、４６の積算回転時間に応じた閾値の補正テーブルＡ、Ｂを示す図であり、図７は、図６の補正テーブルＡ、Ｂで補正された複数の閾値群Ａ１、Ｂ１を示す図である。
【００４４】
ＣＰＵ５１は、１２０秒間の初期調整を終了すると（Ｓ３）、１２０秒間の初期調整の終了時に検出されたトナー濃度を初期値に設定する（Ｓ４）。そして、初期調整時に取得したトナー濃度の検出値に基づいて、閾値Ｉおよび閾値群Ａ１、Ｂ１の中からいずれかの閾値または閾値群を選択する（Ｓ５）。以下に、図５〜図７に基づいて、ステップＳ５での処理を具体的に説明する。
【００４５】
この実施形態では制御部１８に予め２個の補正テーブルＡ、Ｂが記憶されており、初期値を補正テーブルＡ、Ｂで補正するか否か、および補正テーブルＡ、Ｂのいずれを用いて補正するかは、次の
［数１］〜［数３］の数式を用いて判定される。
【００４６】
【数１】
2005156791.tif 000003
【００４７】
【数２】
2005156791.tif 000004
【００４８】
【数３】
2005156791.tif 000005
【００４９】
初期調整時のトナー濃度の検出値から［数１］の数式が成立する場合、ＣＰＵ５１は、ステップＳ４で設定した初期値を補正することなくそのまま初期値を閾値Ｉに設定し、閾値として閾値Ｉを設定する。図５に示す実験データでは、間隔Ｇ＝０．５９の場合に［数１］の数式が成立し、ＣＰＵ５１は閾値として閾値Ｉを設定する。
【００５０】
初期調整時のトナー濃度の検出値から［数２］の数式が成立する場合、ＣＰＵ５１は、収納された現像剤による積算印刷枚数またはその印刷枚数に相当する攪拌ローラ４５、４６の積算回転時間に応じて初期値を補正する補正テーブルＡを選択する。この実施形態では、補正テーブルＡは、０枚〜１０００枚および１０００枚〜２５００枚の積算印刷枚数またはそれに相当する積算回転時間の場合は初期値をそのまま採用し、２５００枚〜５０００枚においては、合計１０カウント分アップするまで２００枚毎に初期値に２カウントを加算して、１０カウント分アップした以降は５０００枚以降においてもそのまま（初期値＋１０）を設定する。これによって得られるのが閾値群Ａ１であり、ＣＰＵ５１は［数２］の数式が成立する場合は閾値群Ａ１を選択する。図５に示す実験データでは、間隔Ｇ＝０．８５の場合に［数２］の数式が成立し、ＣＰＵ５１は閾値群Ａ１を選択する。
【００５１】
初期調整時のトナー濃度の検出値から［数３］の数式が成立する場合、ＣＰＵ５１は、収納された現像剤による積算印刷枚数またはその印刷枚数に相当する攪拌ローラ４５、４６の積算回転時間に応じて初期値を補正する補正テーブルＢを選択する。この実施形態では、補正テーブルＢは、０枚〜１０００枚の積算印刷枚数またはそれに相当する積算回転時間の場合は初期値をそのまま採用し、１０００枚〜２５００枚においては、合計１４カウント分アップするまで２００枚毎に初期値に２カウントを加算して、１４カウント分アップした以降は２５００枚に達するまでそのまま（初期値＋１４）を設定し、２５００枚〜５０００枚においては、さらに１０カウント分アップするまで２００枚毎に２カウントを加算して、１０カウント分アップした以降は５０００枚以降においてもそのまま（初期値＋２４）を設定する。これによって得られるのが閾値群Ｂ１であり、ＣＰＵ５１は［数３］の数式が成立する場合は閾値群Ｂ１を選択する。図５に示す実験データでは、間隔Ｇ＝１．２の場合に［数３］の数式が成立し、ＣＰＵ５１は閾値群Ｂ１を選択する。
【００５２】
このようにステップＳ５では、ＣＰＵ５１は、現像剤４１の初期調整時の単位時間あたりのトナー濃度の検出値の変化に基づいて予想される印刷時のトナー濃度の検出値の経時変化に基づいて、閾値Ｉまたは閾値群Ａ１またはＢ１を設定する。
【００５３】
言い換えれば、ＣＰＵ５１は、上述の［数１］〜［数３］の数式によって、初期調整の終了直前の単位時間あたりのトナー濃度の検出値の変動幅が小さく、検出値が安定値に近づいていると判定した場合は閾値として閾値Ｉを選択し、上述の変動幅が大きく検出値が安定値に程遠いと判定した場合は閾値群Ｂ１を選択する。また、その中間であると判定した場合は、閾値群Ａ１を選択する。図６および図７に示すように、閾値群Ｂ１は閾値群Ａ１よりも初期値に対する補正幅が大きく設定されている。
【００５４】
ＣＰＵ５１は、ステップＳ５において閾値Ｉおよび閾値群Ａ１、Ｂ１の中からいずれかを設定した後、閾値群Ａ１またはＢ１を設定した場合には積算印刷枚数または攪拌ローラ４５、４６の積算回転時間に応じて閾値を設定する（Ｓ６）。そして、ＣＰＵ５１は、印刷開始の命令を出力する（Ｓ７）。
【００５５】
ＣＰＵ５１は、印刷中においても濃度センサ４９によってトナー濃度を取得する（Ｓ８）。そして、ＣＰＵ５１は、取得されたトナー濃度の検出値と設定された閾値とを比較し（Ｓ９）、これによって現像剤４１にトナーを補給すべきか否かを判定する（Ｓ１０）。
【００５６】
ＣＰＵ５１は、判定の結果、トナーを補給すべきであると判定した場合は、トナーボックス４３から現像槽４２内へトナーを補給すべくトナー供給ローラ４４を所定回数回転させる命令を出力し（Ｓ１１）、印刷を終了してよいか否かを判定する（Ｓ１２）。ＣＰＵ５１は、ステップＳ１０においてトナーを補給する必要がないと判定した場合は、トナーを補給することなくステップＳ１２に進み、印刷を終了してよいか否かを判定する（Ｓ１２）。ＣＰＵ５１は、ステップＳ１２において印刷を終了してよいと判定した場合は処理を終了し、続けて印刷する場合（ステップＳ１２においてＮＯの場合）はステップＳ６に戻る。
【００５７】
画像形成装置１によれば、積算印刷枚数やそれに相当する攪拌ローラ４５、４６の積算回転時間に応じて経時変化する現像剤４１の状態に応じて閾値が設定されるので、現像剤４１の状態変化による濃度センサ４９の検出値の誤差を加味してトナー濃度を制御することができる。したがって、正確にトナー濃度を制御することができる。
【００５８】
また、初期調整時のトナー濃度の検出値に基づいて閾値が設定されるので、さらに正確にトナー濃度を制御することができる。さらに、積算印刷枚数またはそれに相当する攪拌ローラ４５、４６の積算回転時間に応じて閾値が順次設定されるので、さらに正確にトナー濃度を制御することができる。したがって、高い印刷品位を維持することができる。
【００５９】
なお、攪拌ローラ４６の外周面と濃度センサ４９の上面との間隔Ｇは、０．５９ｍｍや１．２ｍｍなど適宜に設定するとよい。また、閾値の補正テーブルおよびそれによって得られる閾値群は適宜の数だけ設けることができ、攪拌ローラ４６の外周面と濃度センサ４９の上面との間隔Ｇやキャリアまたはトナーの粒径などの現像装置の構成に応じても変化する初期調整時のトナー濃度の検出値に基づいて、適切な補正テーブルを選択しそれによって得られる閾値群または閾値を設定するとよい。
【図面の簡単な説明】
【００６０】
【図１】この発明の実施形態に係る画像形成装置の概略の構成を示す断面図である。
【図２】現像装置を示す拡大図である。
【図３】制御部の概略の構成を示すブロック図である。
【図４】制御部の処理手順の一部を示すフローチャートである。
【図５】図５（ａ）は攪拌ローラの回転時間に対する濃度センサの検出値の変化を示す図であり、図５（ｂ）はそれをグラフ化した図である。
【図６】積算印刷枚数またはそれに相当する攪拌ローラの積算回転時間に応じた閾値の補正テーブルを示す図である。
【図７】図６の補正テーブルＡ、Ｂで補正された複数の閾値群を示す図である。
【符号の説明】
【００６１】
１  画像形成装置
２７  現像装置
４１  現像剤
４２  現像槽
４３  トナーボックス
４５、４６  攪拌ローラ
４９  濃度センサ
【図１】
2005156791.tif 000006
【図２】
2005156791.tif 000007
【図３】
2005156791.tif 000008
【図４】
2005156791.tif 000009
【図５】
2005156791.tif 000010
【図６】
2005156791.tif 000011
【図７】
2005156791.tif 000012